【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
指定された給紙口に従う第１給紙動作モード、及び、給紙口を指定することなく印刷装置本体の判断による給紙口に従う第２給紙動作モードの何れかのモードで動作可能で、第１電源状態において給紙動作モードを示す可視化出力を行うことなく、第２電源状態で前記給紙動作モードを示す可視化出力を行う印刷装置と通信可能な情報処理装置における制御方法であって、
第１取得手段が、前記印刷装置から電源状態に係る情報を取得する第１取得工程と、
給紙動作モードの設定が前記第２給紙動作モードであり、且つ、前記第１取得工程において取得された情報が前記第１電源状態と識別される場合に、抑制手段が、印刷ジョブ実行を抑制する抑制工程とを有することを特徴とする情報処理装置の制御方法。
【請求項２】
第２取得手段が、前記印刷装置から給紙動作モードの設定を取得する第２取得工程を更に有し、
前記抑制工程は、取得された給紙動作モードの設定が前記第２給紙動作モードであり、且つ、前記第１取得工程において取得された情報が前記第１電源状態と識別される場合に、前記第２取得工程において取得された給紙動作モードの設定に係る状態を報知する報知工程を含むことを特徴とする請求項１に記載の情報処理装置の制御方法。
【請求項３】
前記抑制工程は、給紙動作モードの設定が前記第２給紙動作モードであり、且つ、前記第１取得工程において取得された情報が前記第１電源状態と識別される場合に、前記抑制を解除し印刷処理を続行するか否か、及び／又は、印刷処理を中断するか否かを指示可能な問合せ表示を表示部に行わせる工程を含むことを特徴とする請求項１又は２に記載の情報処理装置の制御方法。
【請求項４】
前記抑制工程は、給紙動作モードの設定が前記第２給紙動作モードであり、且つ、前記第１取得工程において取得された情報が前記第１電源状態と識別される場合に、給紙動作モード設定の変更が指示可能な設定変更表示を表示部に行わせる工程を含むことを特徴とする請求項１乃至３のいずれか１項に記載の情報処理装置の制御方法。
【請求項５】
前記設定変更表示を介して給紙動作モードが変更された場合に、印刷ジョブ生成手段が、変更後の給紙動作モードに基づく印刷ジョブを生成する印刷ジョブ生成工程と、
出力制御手段が、前記印刷ジョブ生成工程において生成された印刷ジョブを出力部に出力させる出力制御工程とを更に有することを特徴とする請求項４に記載の情報処理装置の制御方法。
【請求項６】
前記設定変更表示を介して給紙動作モードが変更された場合に、ジョブ修正手段が、変更後の給紙動作モードに基づいて印刷ジョブを修正する印刷ジョブ修正工程と、
出力制御手段が、前記印刷ジョブ修正工程において修正された印刷ジョブを出力部に出力させる出力制御工程とを更に有することを特徴とする請求項４に記載の情報処理装置の制御方法。
【請求項７】
前記設定変更表示を介して給紙動作モードが変更された場合に、設定指示手段が、変更後の給紙動作モードを印刷装置本体に設定する設定指示工程を更に有することを特徴とする請求項４に記載の情報処理装置の制御方法。
【請求項８】
印刷ジョブ入力時に外部の情報処理装置から指定された設定に従う動作を行う第１動作モード、及び、印刷装置本体の判断による動作を行う第２動作モードの何れかのモードで動作可能で、第１電源状態において動作モードを示す可視化出力を行うことなく、第２電源状態で前記動作モードを示す可視化出力を行う印刷装置と通信可能な情報処理装置における制御方法であって、
第１取得手段が、前記印刷装置から電源状態に係る状態を取得する第１取得工程と、
動作モードの設定が前記第２動作モードであり、且つ、前記第１取得工程において取得された情報が前記第１電源状態と識別される場合に、抑制手段が、印刷ジョブ実行を抑制する抑制工程とを有することを特徴とする情報処理装置の制御方法。
【請求項９】
２つ以上の給紙機構と前記給紙機構に関する情報を本体給紙関連設定として記憶する記憶手段とを備えた印刷装置に対して、元データを前記印刷装置が処理可能なプリントデータに変換して出力する情報処理装置の制御方法であって、
給紙方法設定手段が、印刷媒体であるシートの給紙方法をユーザに設定させる給紙方法設定工程と、
給紙方法判定手段が、前記給紙方法設定工程で設定された給紙方法が、前記印刷装置の給紙機構のいずれか一つを指定するものであるか、前記本体給紙関連設定に基づいて使用する給紙機構を前記印刷装置が決定することを指定するものであるかを判定する給紙方法判定工程と、
通知手段が、前記給紙方法判定工程の判定結果に応じて、前記印刷装置の接続されたホスト装置側に前記本体給紙関連設定の情報を通知する通知工程と、
変換手段が、前記給紙方法設定工程において設定された給紙方法を適用しつつ前記元データを前記プリントデータに変換する変更工程とを備えることを特徴とする情報処理装置の制御方法。
【請求項１０】
指定された給紙口に従う第１給紙動作モード、及び、給紙口を指定することなく印刷装置本体の判断による給紙口に従う第２給紙動作モードの何れかのモードで動作可能で、第１電源状態において給紙動作モードを示す可視化出力を行うことなく、第２電源状態で前記給紙動作モードを示す可視化出力を行う印刷装置と通信可能な情報処理装置であって、
前記印刷装置から電源状態に係る状態を取得する第１取得手段と、
給紙動作モードの設定が前記第２給紙動作モードであり、且つ、前記第１取得手段において取得された情報が前記第１電源状態と識別される場合に、印刷ジョブ実行を抑制する抑制手段とを有することを特徴とする情報処理装置。
【請求項１１】
印刷ジョブ入力時に外部の情報処理装置から指定された設定に従う動作を行う第１動作モード、及び、印刷装置本体の判断による動作を行う第２動作モードの何れかのモードで動作可能で、第１電源状態において動作モードを示す可視化出力を行うことなく、第２電源状態で前記動作モードを示す可視化出力を行う印刷装置と通信可能な情報処理装置であって、
前記印刷装置から電源状態に係る状態を取得する第１取得手段と、
動作モードの設定が前記第２動作モードであり、且つ、前記第１取得手段において取得された情報が前記第１電源状態と識別される場合に、印刷ジョブ実行を抑制する抑制手段とを有することを特徴とする情報処理装置。
【請求項１２】
２つ以上の給紙機構と前記給紙機構に関する情報を本体給紙関連設定として記憶する記憶手段とを備えた印刷装置に対して、元データを前記印刷装置が処理可能なプリントデータに変換して出力する印刷制御装置であって、
印刷媒体であるシートの給紙方法を設定させる給紙方法設定手段と、
前記給紙方法設定手段で設定された給紙方法が前記印刷装置の給紙機構のいずれか一つを指定するものであるか、前記本体給紙関連設定に基づいて使用する給紙機構を前記印刷装置が決定することを指定するものであるかを判定する給紙方法判定手段と、
前記給紙方法判定手段の判定結果に応じて、前記印刷装置の接続されたホスト装置側に前記本体給紙関連設定の情報を通知する手段と、
前記給紙方法設定手段において設定された給紙方法を適用しつつ前記元データを前記プリントデータに変換する変換手段とを備えることを特徴とする印刷制御装置。
【請求項１３】
請求項１乃至９の何れか１項に記載の情報処理装置の制御方法をコンピュータに実行させるためのプログラム。
【請求項１４】
請求項１乃至９の何れか１項に記載の情報処理装置の制御方法をコンピュータに実行させるためのプログラムを記憶したコンピュータ読み取り可能な記憶媒体。
【手続補正２】
【補正対象書類名】明細書
【補正対象項目名】０００８
【補正方法】変更
【補正の内容】
【０００８】
上記の目的を達成するための本発明の一態様による情報処理装置の制御方法は、
指定された給紙口に従う第１給紙動作モード、及び、給紙口を指定することなく印刷装置本体の判断による給紙口に従う第２給紙動作モードの何れかのモードで動作可能で、第１電源状態において給紙動作モードを示す可視化出力を行うことなく、第２電源状態で前記給紙動作モードを示す可視化出力を行う印刷装置と通信可能な情報処理装置における制御方法であって、
第１取得手段が、前記印刷装置から電源状態に係る情報を取得する第１取得工程と、
給紙動作モードの設定が前記第２給紙動作モードであり、且つ、前記第１取得工程において取得された情報が前記第１電源状態と識別される場合に、抑制手段が、印刷ジョブ実行を抑制する抑制工程とを有する。
【手続補正３】
【補正対象書類名】明細書
【補正対象項目名】０００９
【補正方法】変更
【補正の内容】
【０００９】
また、上記の目的を達成するための本発明の他の態様による情報処理装置の制御方法は、
印刷ジョブ入力時に外部の情報処理装置から指定された設定に従う動作を行う第１動作モード、及び、印刷装置本体の判断による動作を行う第２動作モードの何れかのモードで動作可能で、第１電源状態において動作モードを示す可視化出力を行うことなく、第２電源状態で前記動作モードを示す可視化出力を行う印刷装置と通信可能な情報処理装置における制御方法であって、
第１取得手段が、前記印刷装置から電源状態に係る状態を取得する第１取得工程と、
動作モードの設定が前記第２動作モードであり、且つ、前記第１取得工程において取得された情報が前記第１電源状態と識別される場合に、抑制手段が、印刷ジョブ実行を抑制する抑制工程とを有する。